(57)【要約】【課題】本発明は、製本用無線綴機の加工用装置において、製本前の折丁の背面の任意の定位置に糊付不用部を形成する凹陥部の削設装置の提供にある。【解決手段】クランパーが所要の間隔で軌道上を循環移動し、そのクランパーに製本前の折丁を、クランパーの下縁より下方へ、その製本前の折丁の背面を所要長さ突出させて締付け保持し、クランパーの移動通路の下方であって、かつその移動方向に対して横断方向に対向して配備され、回転するクランクの先端部の回転カッターを前記製本前の折丁の背面に当て糊付不用部形成用の凹陥部を切削してなる製本用無線綴機における製本前の折丁の背面に糊付不用部を形成する凹陥部の削設装置。【選択図】図１
2006255941.tif 000002
【特許請求の範囲】
【請求項１】
クランパーが所要の間隔で軌道上を循環移動し、そのクランパーに製本前の折丁を、クランパーの下縁より下方へ、その製本前の折丁の背面を所要長さ突出させて締付け保持し、クランパーの移動通路の下方であって、かつその移動方向に対して横断方向に対向して配備され、回転するクランクの先端部の回転カッターを前記製本前の折丁の背面に当て糊付不用部形成用の凹陥部を切削してなる製本用無線綴機における製本前の折丁の背面に糊付不用部を形成する凹陥部の削設装置。
【請求項２】
前記回転するクランクを取付けるクランク回転軸は、クランパーを支架する環状無端ローラーチェーンを駆動するメイン入力軸と連繋して回転してなる請求項１の製本用無線綴機における製本前の折丁の背面に糊付不用部を形成する凹陥部の削設装置。
【請求項３】
前記回転するクランクの基端部は、クランク回転軸に対して回動して取付け角を調整自在であると共に調整角に締付け固定してなる請求項１または請求項２の製本用無線綴機における製本前の折丁の背面に糊付不用部を形成する凹陥部の削設装置。
【請求項４】
前記回転カッターを有し、回転するクランクは、クランクの先端部にカッター取付軸を回転自在に、かつ両端を外方に突出して軸受し、その一方端である製本前の折丁の背面との対応側をカッター取付部に設け、反対側の他方端を終段スパーギヤのギヤ取付部に設けてなる請求項１、請求項２または請求項３の製本用無線綴機における製本前の折丁の背面に糊付不用部を形成する凹陥部の削設装置。
【請求項５】
前記回転するクランクの基端部を取付けるクランク回転軸において、クランクの先端部の終段スパーギヤと対応する側に回転を前記終段スパーギヤに伝達する始段スパーギヤをクランク回転軸に回転自在に配備される軸受筒を取付け、この軸受筒に受動プーリーを取付けて回転自在に配備し、この受動プーリーと、カッター駆動モータのモータ軸上の原動プーリーとにベルトを張架してカッター駆動モータの回転を受動プーリーに伝達してなる請求項４の製本用無線綴機における製本前の折丁の背面に糊付不用部を形成する凹陥部の削設装置。
【請求項６】
前記回転するクランクの基端部を取付けるクランク回転軸において、受動プーリーとの反対側には、ベベルギヤを取付け、このベベルギヤと噛合するベベルギヤを上部縦軸の上端に取付け、この上部縦軸、クランク回転軸、カッター駆動モータは、上下に調整が可能な支持台に配備してなる請求項５の製本用無線綴機における製本前の折丁の背面に糊付不用部を形成する凹陥部の削設装置。
【請求項７】
前記上部縦軸の下端は、上部スプライン軸を連結し、これに下方からスプライン継手を嵌合し、上下に調節自在に連結し、このスプライン継手の下端には、下部スプライン軸を嵌合し、その下部スプライン軸の下端に下部縦軸を連結し、下部縦軸の下端にベベルギヤを取付け、このベベルギヤは各ユニットに回転力を伝達するメイン入力軸上の対応するベベルギヤと噛合して回転し、前記メイン入力軸は、前記ローラーチェーンを移動するチェーンスプロケットに回転を伝達し、クランパーの移動位置と、クランクの回転カッターの当接位置は、常に定置であるように設けている請求項６の製本用無線綴機における製本前の折丁の背面に糊付不用部を形成する凹陥部の削設装置。
【発明の詳細な説明】
【技術分野】
【０００１】
この発明は、製本用無線綴機の加工用装置における製本前の折丁の背面に糊付不用部を形成する凹陥部の削設装置に関するものである。
【背景技術】
【０００２】
従来、製本用無線綴機の加工用装置において、製本前の折丁の背面の切削加工装置３１は、図４に示すように、クランプ３２に、製本前の折丁３３の背面３３ａを、そのクランプ３２の下縁３２ａより下方に適宜高さ突出させて締付け支承し、モータ３４の回転軸３５の上端に刃物盤３６を配備し、この刃物盤３６に刃物３７を取付け、製本前の折丁３３の背面３３ａが刃物３７の回転通路上を通過するとき加工を行っている。図示のものは、製本前の折丁３３の背面３３ａを直線状に削設ものである。また、この刃物３７を、部分的な糊付ノッチ形成用刃物（図示しない）に変え、かつモータ３４の回転軸３５の軸線を傾斜させる（軸線傾斜機構については図示しない）と、回転軸３５の一回転毎に製本前の折丁３３を切断し、図５に示すように、製本前の折丁３３に、その進行移動速度／毎分、回転軸３５の回転数／毎分および部分的なノッチ形成用刃物の形状に従い任意のピッチＰ、高さＨ、形状Ｆの糊付用ノッチ３８の加工を施すことができるものである。このことは、特開２００１−５８４７７号公報において、従来の無線綴じ処理を行う例として説明され、図５には冊子束のり糊付け処理の状態を示す側面図も掲載されている。
【０００３】
【特許文献１】特開２００１−５８４７７号公報
【発明の開示】
【発明が解決しようとする課題】
【０００４】
前記背景技術で説明したように、部分的な糊付ノッチ形成用刃物を回転軸３５の一回転毎に製本前の折丁３３に当て、図５に示すように、製本前の折丁３３に、その進行移動速度／毎分、回転軸３５の回転数／毎分および部分的な糊付ノッチ形成用刃物の形状に従い任意のピッチＰ、高さＨ、形状Ｆを変更して糊付用ノッチ３８の加工を施すことができるが、糊付用ノッチ３８を任意の指定した位置に加工することはできなかった。
【０００５】
近年、製本業界においても、コスト低減の波が押し寄せており、本発明は、この要請を達成する製本方法を提供するために、製本用無線綴機の加工用装置において、製本前の折丁の背面の任意の定位置に糊付不用部を形成する凹陥部の削設装置を提供することを目的になされたものである。
【課題を解決するための手段】
【０００６】
クランパーが所要の間隔で軌道上を循環移動し、そのクランパーに製本前の折丁を、クランパーの下縁より下方へ、その製本前の折丁の背面を所要長さ突出させて締付け保持し、クランパーの移動通路の下方であって、かつその移動方向に対して横断方向に対向して配備され、回転するクランクの先端部の回転カッターを前記製本前の折丁の背面に当て糊付不用部形成用の凹陥部を切削してなる製本用無線綴機における製本前の折丁の背面に糊付不用部を形成する凹陥部の削設装置にある。
【０００７】
前記回転するクランクを取付けるクランク回転軸は、クランパーを支架する環状無端ローラーチェーンを駆動するメイン入力軸と連繋して回転してなる製本用無線綴機における製本前の折丁の背面に糊付不用部を形成する凹陥部の削設装置としてもよいものである。
【０００８】
前記回転するクランクの基端部は、クランク回転軸に対して回動して取付け角を調整自在であると共に調整角に締付け固定してなる製本用無線綴機における製本前の折丁の背面に糊付不用部を形成する凹陥部の削設装置としてもよいものである。
【０００９】
前記回転カッターを有し、回転するクランクは、クランクの先端部にカッター取付軸を回転自在に、かつ両端を外方に突出して軸受し、その一方端である製本前の折丁の背面との対応側をカッター取付部に設け、反対側の他方端を終段スパーギヤのギヤ取付部に設けてなる製本用無線綴機における製本前の折丁の背面に糊付不用部を形成する凹陥部の削設装置としてもよいものである。
【００１０】
前記回転するクランクの基端部を取付けるクランク回転軸において、クランクの先端部の終段スパーギヤと対応する側に回転を前記終段スパーギヤに伝達する始段スパーギヤをクランク回転軸に回転自在に配備される軸受筒を取付け、この軸受筒に受動プーリーを取付けて回転自在に配備し、この受動プーリーと、カッター駆動モータのモータ軸上の原動プーリーとにベルトを張架してカッター駆動モータの回転を受動プーリーに伝達してなる製本用無線綴機における製本前の折丁の背面に糊付不用部を形成する凹陥部の削設装置としてもよいものである。
【００１１】
前記回転するクランクの基端部を取付けるクランク回転軸において、受動プーリーとの反対側には、ベベルギヤを取付け、このベベルギヤと噛合するベベルギヤを上部縦軸の上端に取付け、この上部縦軸、クランク回転軸、カッター駆動モータは、上下に調整が可能な支持台に配備してなる製本用無線綴機における製本前の折丁の背面に糊付不用部を形成する凹陥部の削設装置としてもよいものである。
【００１２】
前記上部縦軸の下端は、上部スプライン軸を連結し、これに下方からスプライン継手を嵌合し、上下に調節自在に連結し、このスプライン継手の下端には、下部スプライン軸を嵌合し、その下部スプライン軸の下端に下部縦軸を連結し、下部縦軸の下端にベベルギヤを取付け、このベベルギヤは各ユニットに回転力を伝達するメイン入力軸上の対応するベベルギヤと噛合して回転し、前記メイン入力軸は、前記ローラーチェーンを移動するチェーンスプロケットに回転を伝達し、クランパーの移動位置と、クランクの回転カッターの当接位置は、常に定置であるように設けてなる製本用無線綴機における製本前の折丁の背面に糊付不用部を形成する凹陥部の削設装置としてもよいものである。
【発明の効果】
【００１３】
クランク回転軸に調整固定され、そのクランク回転軸共に回転するクランクの回転カッターをワークの背面の所定位置に当てて所要の糊付け不用部を形成する凹陥部を削設することができ、該凹陥部を無線綴じ製本において、数々の目的に活用でき、画期的効果を奏するものである。
【発明を実施するための最良の形態】
【００１４】
クランパーが所要の間隔で軌道上を循環移動し、そのクランパーに製本前の折丁を、クランパーの下縁より下方へ、その製本前の折丁の背面を所要長さ突出させて締付け保持し、クランパーの移動通路の下方であって、かつその移動方向に対して横断方向に対向して配備され、回転するクランクの先端部の回転カッターを前記製本前の折丁の背面に当て糊付不用部形成用の凹陥部を切削してなる製本用無線綴機における製本前の折丁の背面に糊付不用部を形成する凹陥部の削設装置であって、前記回転するクランクを取付けるクランク回転軸は、クランパーを支架する環状無端ローラーチェーンを駆動するメイン入力軸と連繋して回転し、前記回転するクランクの基端部は、クランク回転軸に対して回動して取付け角を調整自在であると共に調整角に締付け固定し、前記回転カッターを有し、回転するクランクは、クランクの先端部にカッター取付軸を回転自在に、かつ両端を外方に突出して軸受し、その一方端である製本前の折丁の背面との対応側をカッター取付部に設け、反対側の他方端を終段スパーギヤのギヤ取付部に設け、前記回転するクランクの基端部を取付けるクランク回転軸において、クランクの先端部の終段スパーギヤと対応する側に回転を前記終段スパーギヤに伝達する始段スパーギヤをクランク回転軸に回転自在に配備される軸受筒を取付け、この軸受筒に受動プーリーを取付けて回転自在に配備し、この受動プーリーと、カッター駆動モータのモータ軸上の原動プーリーとにベルトを張架してカッター駆動モータの回転を受動プーリーに伝達し、前記回転するクランクの基端部を取付けるクランク回転軸において、受動プーリーとの反対側には、ベベルギヤを取付け、このベベルギヤと噛合するベベルギヤを上部縦軸の上端に取付け、この上部縦軸、クランク回転軸、カッター駆動モータは、上下に調整が可能な支持台に配備し、前記上部縦軸の下端は、上部スプライン軸を連結し、これに下方からスプライン継手を嵌合し、上下に調節自在に連結し、このスプライン継手の下端には、下部スプライン軸を嵌合し、その下部スプライン軸の下端に下部縦軸を連結し、下部縦軸の下端にベベルギヤを取付け、このベベルギヤは各ユニットに回転力を伝達するメイン入力軸上の対応するベベルギヤと噛合して回転し、前記メイン入力軸は、前記ローラーチェーンを移動するチェーンスプロケットに回転を伝達し、クランパーの移動位置と、クランクの回転カッターの当接位置は、常に定置であるように設けてなる製本用無線綴機における製本前の折丁の背面に糊付不用部を形成する凹陥部の削設装置。
【実施例】
【００１５】
以下、本発明の製本前の折丁の背面に糊付不用部を形成する凹陥部の削設装置を、先ず、実施例として示す図１により概略を説明すると、製本用無線綴機の加工用装置において、本発明の製本前の折丁の背面に糊付不用部を形成する凹陥部の削設装置１は、クランパー２が所要の間隔で軌道上を循環移動し、そのクランパー２に製本前の折丁（以下ワークという）３を、クランパー２の下縁２ａより下方へ、そのワーク３の背面３ａを所要長さ突出させ、クランパー２により左右から締付けて保持し、クランパー２の移動通路の下方であって、かつその移動方向に対して横断方向に対向して配備されたクランク回転軸４に取付けたクランク５のピン部に回転する回転カッター６を軸受し、前記ワーク３に対してクランク５の回転カッター６を当て、図２に示すように、ワーク３の背面３ａに糊付不用部形成用の凹陥部７を切削してなるものである。
【００１６】
次に、図３により、さらに本発明の製本前の折丁の背面に糊付不用部を形成する凹陥部の削設装置１を具体的に実施例に基づいて説明すると、前記クランパー２は、環状無端ローラーチェーン８に所要の間隔で所要個数が支架される。環状無端ローラーチェーン８は、対設したチェーンスプロケット９（反対側は省略）に張架され、そのチェーンスプロケット９を矢印の方向に回転し、環状無端ローラーチェーン８を移動する。ワーク３は、図示しないが、クランパー２が開放された位置で供給され、供給位置より移動すると、閉じてワーク３を、前記のように、クランパー２の下縁２ａより下方へ、そのワーク３の背面３ａを所要長さ突出した状態でクランパー２を閉じ、その突出状態を維持して移送する。
【００１７】
前記環状無端ローラーチェーン８に対して所要位置において、クランパー２の移動通路の下方であって、かつその移動方向に対して横断方向に対向してクランク回転軸４を配備し、そのクランク回転軸４にクランク腕５ａの基端部５ａ１を取付けて回転し、クランク腕５ａのピン部５ａ２にカッター取付軸１０を回転自在に、かつ両端を外方に突出して軸受し、そのカッター取付軸１０をワークあの背面３ａとの対応側をカッター取付部１０ａに設け、反対側を終段スパーギヤ１１のギヤ取付部１０ｂに設けている。
【００１８】
クランク腕５ａの基端部５ａ１を取付けるクランク回転軸４において、クランク腕５ａのピン部５ａ２の終段スパーギヤ１１と対応する側にクランク腕５ａに軸支された中段スパーギヤ１２を介して回転を前記終段スパーギヤ１１に伝達する始段スパーギヤ１３をクランク回転軸４に回転自在に配備される軸受筒１４に取付け、この軸受筒１４に受動プーリー１５を取付けて回転自在に配備し、この受動プーリー１５には、カッター駆動モータ１６のモータ軸１７上の原動プーリー１８とベルト１９を張架してカッター駆動モータ１６の回転を受動プーリー１５に伝達している。
【００１９】
前記クランク回転軸４において、クランク腕５ａを間に受動プーリー１５との反対側には、ベベルギヤ２０を取付け、これと噛合するベベルギヤ２１を縦軸２２の上端に取付け、この上部縦軸２２、クランク回転軸４、カッター駆動モータ１６は、上下に調整が可能な支持台２３に配備している。
【００２０】
前記上部縦軸２２の下端は、上部スプライン軸２４を連結し、これに下方からスプライン継手２５を嵌合し、上下に調節自在に連結し、このスプライン継手２５の下端には、下部スプライン軸２６を嵌合し、その下部スプライン軸２６の下端を下部縦軸２７に連結し、下部縦軸２７の下端にベベルギヤ２８を取付け、このベベルギヤ２８は各ユニットに回転力を伝達するメイン入力軸２９上の対応するベベルギヤ３０と噛合して回転し、前記メイン入力軸２９は、前記ローラーチェーン８を移動するチェーンスプロケット９に回転を伝達し、ワーク３の移動位置と、クランク５の回転カッター６の当接位置は、同期して、常に定置であるように設けている。
【００２１】
本発明の製本用無線綴機における製本前の折丁の背面に糊付不用部を形成する凹陥部の削設装置１は、前述のように構成されるから、ワーク３の背面３ａをクランパー２の下縁２ａより下方に突出して締付・支持した状態で、クランク５の回転カッター６の回転通路内を通過すると、回転カッター６により図２に示すように切削されて糊付不用部形成用の凹陥部７をワーク３の背面３ａの所定位置にクランク５を半径とする弧状の凹陥部７を形成できるものである。クランク５の回転は、ローラーチェーン８の移動と連繋しているので凹陥部７の位置は正確に形成できる。また、ワーク３の背面３ａに回転カッター６の当る位置の調整は、クランク腕５ａの基端部５ａ１のクランク回転軸４に締付け固定する角度を回動して調整することにより、また、ワーク３との移動位置との同期を回転伝動比調整することによって任意にできるものである。
【産業上の利用可能性】
【００２２】
本発明の製本用無線綴機におけるワークの背面に糊付不用部を形成する凹陥部の削設装置によりワークの背面の所定位置に当てて所要の糊付け不用部を形成する凹陥部を所定位置に、所定深さに正確に削設することができ、該凹陥部を活用し、無線綴じ製本において画期的効果を奏するものである。
【００２３】
また、糊付け不用部を形成する凹陥部を削設する位置およびその深さを容易に調整することができ、また構成も堅牢であり、メンテナンス上も有利である。
【図面の簡単な説明】
【００２４】
【図１】本発明の製本用無線綴機におけるワークの背面に糊付不用部を形成する凹陥部の削設装置の要部を示す斜視図である。
【図２】本発明の製本用無線綴機におけるワークの背面に糊付不用部を形成する凹陥部の削設装置によるワーク製本前の折丁の加工例を示す側面図である。
【図３】同じく、本発明の製本用無線綴機におけるワークの背面に糊付不用部を形成する凹陥部の削設装置の要部の詳細な実施例を示す斜視図である。
【図４】従来の製本用無線綴機におけるワークの背面の切削加工装置の斜視図である。
【図５】従来の製本用無線綴機におけるワークの背面における切削加工例を示す側面図である。
【符号の説明】
【００２５】
１  製本用無線綴機における製本前の折丁の背面に糊付不用部を形成する凹陥部の削設装置
２  クランパー
２ａ  下縁
３  ワーク
３ａ  背面
４  クランク回転軸
５  クランク
５ａ  クランク腕
５ａ１  基端部
５ａ２  ピン部
６  回転カッター
７  凹陥部
８  環状無端ローラーチェーン
９  チェーンスプロケット
１０  カッター取付軸
１０ａ  カッター取付部
１０ｂ  ギヤ取付部
１１  終段スパーギヤ
１２  中段スパーギヤ
１３  始段スパーギヤ
１４  軸受筒
１５  受動プーリー
１６  カッター駆動モータ
１７  モータ軸
１８  原動プーリー
１９  ベルト
２０  ベベルギヤ
２１  ベベルギヤ
２２  縦軸
２３  支持台
２４  上部スプライン軸
２５  スプライン継手
２６  下部スプライン軸
２７  下部縦軸
２８  ベベルギヤ
２９  メイン入力軸
３０  ベベルギヤ
【図１】
2006255941.tif 000003
【図２】
2006255941.tif 000004
【図３】
2006255941.tif 000005
【図４】
2006255941.tif 000006
【図５】
2006255941.tif 000007